(57)【特許請求の範囲】
【請求項１】
第１の絶縁ハウジングと、該第１の絶縁ハウジングを主配線基板に固定する固定金属部材と各々が上記主配線基板に設けられた第１の配線端子部に接続される基板接続部を有して上記第１の絶縁ハウジングに配された複数の第１のコンタクトとを備えた基板側コネクタと、
配線板状部材に配されて上記基板側コネクタに係合する係合部が設けられた第２の絶縁ハウジングと各々が上記配線板状部材に設けられた第２の配線端子部に接続される端子接続部を有して上記第２の絶縁ハウジングに配された複数の第２のコンタクトとを備えた板状部材側コネクタと、
を含んで構成され、
上記固定金属部材が、上記第１の絶縁ハウジングに該第１の絶縁ハウジングの外側から係合していて、上記板状部材側コネクタを係止するための弾性を具えた係止部が外部に向かって突出するものとして形成されており、
上記複数の第１のコンタクトの夫々が上記第１の絶縁ハウジングの外周面部からその外部に突出する接触係合部を有しており、
上記第２の絶縁ハウジングが上記配線板状部材における透孔形成部が形成する透孔を貫通する状態をもって上記透孔形成部に取り付けられ、上記配線板状部材における第２の配線端子部が上記透孔形成部が形成する透孔の周囲に配されていて、上記第２のコンタクトにおける端子接続部が上記第２の絶縁ハウジングの外周面部からその外部に突出して上記第２の配線端子部に接触接続され、
上記第２の絶縁ハウジングに設けられた上記係合部が上記第１の絶縁ハウジングの外周に嵌合する嵌合孔を形成していて、上記複数の第２のコンタクトの夫々が、上記嵌合孔を形成する上記係合部の内壁面部に配された接触接続部を有しており、
上記嵌合孔が上記第１の絶縁ハウジングの外周に嵌合したとき、上記接触接続部が上記接触係合部に接触接続されて、上記第２の配線端子部が上記第２のコンタクト及び上記第１のコンタクトを通じて上記第１の配線端子部に接続されるとともに、上記係止部が、上記第１のハウジングにおける上記嵌合孔内に配される部分から突出して、上記第２の絶縁ハウジングにおける上記係合部の一部に設けられた係合受部に係合し、上記板状部材側コネクタを係止することを特徴とする配線端子接続装置。
【請求項２】
上記第２の絶縁ハウジングの外周部が段部を形成しており、該段部が上記配線板状部材における透孔形成部に係合することを特徴とする請求項１記載の配線端子接続装置。
【請求項３】
上記配線板状部材における対を成す相互平行面である第１及び第２の面のうちの第１の面に上記第２の配線端子部が設けられ、上記第１及び第２の面のうちの第２の面が、上記第２の絶縁ハウジングにおける上記嵌合孔が上記第１の絶縁ハウジングの外周に嵌合したもとで、上記主配線基板に対面することを特徴とする請求項１記載の配線端子接続装置。
【請求項４】
上記配線板状部材における対を成す相互平行面である第１及び第２の面のうちの第１の面に上記第２の配線端子部が設けられ、該第１の面が、上記第２の絶縁ハウジングにおける上記嵌合孔が上記第１の絶縁ハウジングの外周に嵌合したもとで、上記主配線基板に対面することを特徴とする請求項１記載の配線端子接続装置。
【請求項５】
上記第２の絶縁ハウジングに設けられた上記係合部における上記嵌合孔の周囲部分に、上記基板側コネクタが備える上記係止部が係合する上記係合受部が形成されていることを特徴とする請求項１記載の配線端子接続装置。
【発明の詳細な説明】
【技術分野】
【０００１】
本願の特許請求の範囲に記載された発明は、フレキシブル印刷配線基板（ＦＰＣ）等の配線板状部材が主配線基板に対面近接して重ね合わせられるもとで、配線板状部材に設けられた部材側配線端子部を主配線基板に設けられた基板側配線端子部に接続された状態をとらせる配線端子接続装置に関する。
【背景技術】
【０００２】
各種の電子機器に実装される比較的小型なフレキシブル印刷配線基板等の配線板状部材は、各種の電気部品が取り付けられる主配線基板との電気的連結が、電子機器内におけるスペース上の制約等から、主配線基板に対して対面近接して重ね合わせられるようにして行われざるを得ないものとされることが少なくない。このような配線板状部材と主配線基板とのような板状部材の組についての一方が他方に対面近接して重ね合わせられる連結態様を、以下においては対面近接重ね合わせ連結ということとする。
【０００３】
フレキシブル印刷配線基板等の配線板状部材に設けられた部材側配線端子部を主配線基板に設けられた基板側配線端子部に接続された状態とすべく、配線板状部材を対面近接重ね合わせ連結によって主配線基板に電気的に連結するに際して、従来にあっては、主配線基板に基板側コネクタを取り付けるとともに、配線板状部材に板状部材側コネクタを取り付け、板状部材側コネクタを基板側コネクタに接続することにより、配線板状部材に設けられた部材側配線端子部を、板状部材側コネクタ及び基板側コネクタを介して、主配線基板に設けられた基板側配線端子部との電気的連結状態におくことができる基板連結機構が提案されている（例えば、特許文献１あるいは特許文献２参照。）。
【０００４】
特許文献１に示される基板連結機構にあっては、主配線基板（プリント配線基板(2))に、その主配線基板に配された複数の基板側配線端子部（ランドパターン）に夫々半田接続された複数のコンタクト(112) を有する基板側コネクタ（相手側コネクタ（110)) が立設され、また、平行配列された複数の部材側配線端子部（端子部(1b)) が設けられた配線板状部材（フレキシブル基板(1))に、基板側コネクタに嵌合接続される絶縁ベースハウジング(20)と絶縁カバーハウジング(30)とを有した板状部材側コネクタ（プリント配線基板用コネクタ(10)) が取り付けられる。配線板状部材に板状部材側コネクタが取り付けられるにあたっては、配線板状部材が、複数の部材側配線端子部に沿って屈曲せしめられた状態をもって、絶縁ベースハウジング(20)と絶縁カバーハウジング(30)との間に挟まれて保持され、複数の部材側配線端子部が絶縁ベースハウジング(20)上に露出する状態におかれる。
【０００５】
そして、板状部材側コネクタが取り付けられた配線板状部材が、基板側コネクタが立設された主配線基板に、板状部材側コネクタを基板側コネクタに対向する位置をとるものとしたもとで対面近接せしめられて、板状部材側コネクタが基板側コネクタに嵌合接続せしめられる。その際、板状部材側コネクタにおいて絶縁ベースハウジング(20)上に露出する配線板状部材における複数の部材側配線端子部が、基板側コネクタにおける複数のコンタクト(112) に夫々直接的に接触接続される。それにより、配線板状部材が対面近接重ね合わせ連結によって主配線基板に電気的に連結され、配線板状部材に配された複数の部材側配線端子部が主配線基板に配された複数の基板側配線端子部に夫々接続された状態におかれる。
【０００６】
このような特許文献１に示される基板連結機構によれば、配線板状部材に取り付けられる板状部材側コネクタを、主配線基板に立設される基板側コネクタとの電気的接続のためのコンタクトを備える必要がないものとすることができる。
【０００７】
また、特許文献２に示される基板連結機構にあっては、主配線基板（回路基板(P))に、その主配線基板に配された基板側配線端子部（対応回路部) に半田接続された複数の端子(34)を有する基板側コネクタ（相手コネクタ（30))が取り付けられ、また、配線板状部材（フレキシブル基板(F))に、その配線板状部材に配された部材側配線端子部（対応回路部）に半田接続された複数の端子(12)を有する板状部材側コネクタ（コネクタ(10)) が取り付けられる。基板側コネクタにおける外側面部には、複数の端子(34)の接触部(35)が配列配置されて外部に臨んでいる。さらに、板状部材側コネクタには、基板側コネクタの外周に嵌合する孔部(14)が設けられており、この孔部(14)には、板状部材側コネクタにおける複数の端子(12)の接触部(12B1)が配列配置されて臨んでいる。板状部材側コネクタが配線板状部材に取り付けられたもとにあっては、板状部材側コネクタに設けられた孔部(14)の一対の開口のうちの一方は配線板状部材によって塞がれている。
【０００８】
そして、板状部材側コネクタが取り付けられた配線板状部材が、基板側コネクタが取り付けられた主配線基板に、板状部材側コネクタに設けられた孔部(14)を基板側コネクタに対向する位置をとるものとしたもとで対面近接せしめられて、板状部材側コネクタが、その孔部(14)を基板側コネクタの外周に嵌合させて、基板側コネクタに嵌合接続せしめられる。その際、板状部材側コネクタにおいて孔部(14)に臨むものとして配列配置された複数の端子(12)の接触部(12B1)が、基板側コネクタにおける外側面部に外部に臨むものとして配列配置された複数の端子(34)の接触部(35)に夫々直接的に接触接続される。それにより、配線板状部材が対面近接重ね合わせ連結によって主配線基板に電気的に連結され、配線板状部材に配された複数の部材側配線端子部が主配線基板に配された複数の基板側配線端子部に夫々接続された状態におかれる。
【先行技術文献】
【特許文献】
【０００９】
【特許文献１】特開平９−３１２１８３号公報（４〜５頁，図１〜４, ９〜１１）
【特許文献２】特開２００７−２５８００１号公報（４〜６頁，図１〜４）
【発明の概要】
【発明が解決しようとする課題】
【００１０】
上述のような、フレキシブル印刷配線基板等の配線板状部材に設けられた部材側配線端子部を主配線基板に設けられた基板側配線端子部に接続された状態とすべく、配線板状部材を対面近接重ね合わせ連結によって主配線基板に電気的に連結するためのものとして従来提案されている、特許文献１に記載された基板連結機構が用いられる場合においては、板状部材側コネクタが取り付けられた配線板状部材が、基板側コネクタが立設された主配線基板に、対面近接重ね合わせ連結によって電気的に連結された状態におかれたとき、主配線基板上において基板側コネクタと板状部材側コネクタとが重ねられることになる。そのため、主配線基板と配線板状部材との間の間隔が比較的大とされ、主配線基板と配線板状部材とそれらの間の基板連結機構とを含んだ全体の薄型化に支障が来されることになってしまう。
【００１１】
さらに、特許文献１に記載された基板連結機構が用いられる場合には、板状部材側コネクタが取り付けられた配線板状部材を、対面近接重ね合わせ連結によって基板側コネクタが立設された主配線基板に電気的に連結するにあたり、配線板状部材を主配線基板に対面近接させて板状部材側コネクタを基板側コネクタに嵌合接続する過程においては、板状部材側コネクタ及び基板側コネクタのいずれもが、配線板状部材によって覆われて、配線板状部材の背後から目視することができないものとなってしまう。そのため、板状部材側コネクタを基板側コネクタに嵌合接続するにあたっての作業性が極めて悪く、板状部材側コネクタが取り付けられた配線板状部材の基板側コネクタが立設された主配線基板に対する対面近接重ね合わせ連結を確実に行うこと、さらには、配線板状部材の主配線基板に対する対面近接重ね合わせ連結が確実に行われたことを確認することが困難となってしまう。
【００１２】
それに加えて、特許文献１に記載された基板連結機構には、板状部材側コネクタが基板側コネクタに嵌合接続された状態を維持するための手段が備えられていないので、板状部材側コネクタが取り付けられた配線板状部材が基板側コネクタが立設された主配線基板に対面近接重ね合わせ連結によって電気的に接続された状態を安定に維持することが困難とされるという不都合もある。
【００１３】
また、同じくフレキシブル印刷配線基板等の配線板状部材に設けられた部材側配線端子部を主配線基板に設けられた基板側配線端子部に接続された状態とすべく、配線板状部材を対面近接重ね合わせ連結によって主配線基板に電気的に連結するためのものとして従来提案されている、特許文献２に記載された基板連結機構が用いられる場合には、配線板状部材に取り付けられる板状部材側コネクタが、主配線基板に取り付けられる基板側コネクタの外周に嵌合する孔部が設けられたものとされることにより、配線板状部材が主配線基板に対面近接重ね合わせ連結によって電気的に連結された状態におかれたとき、主配線基板上において基板側コネクタと板状部材側コネクタとが重ねられることにはならない。それにより、主配線基板と配線板状部材とそれらの間の基板連結機構とを含んだ全体の薄型化に支障が来される事態を回避することが可能とされる。
【００１４】
しかしながら、特許文献２に記載された基板連結機構が用いられる場合にあっても、板状部材側コネクタが取り付けられた配線板状部材を、対面近接重ね合わせ連結によって基板側コネクタが取り付けられた主配線基板に電気的に連結するにあたり、配線板状部材を主配線基板に対面近接させて、板状部材側コネクタに設けられた孔部を基板側コネクタの外周に嵌合させる過程においては、板状部材側コネクタ及び基板側コネクタのいずれもが、配線板状部材によって覆われて、配線板状部材の背後から目視することができないものとなってしまう。そのため、板状部材側コネクタに設けられた孔部を基板側コネクタの外周に嵌合させるにあたっての作業性が極めて悪く、板状部材側コネクタが取り付けられた配線板状部材の基板側コネクタが取り付けられた主配線基板に対する対面近接重ね合わせ連結を確実に行うこと、さらには、配線板状部材の主配線基板に対する対面近接重ね合わせ連結が確実に行われたことを確認することが困難となってしまう不都合があることについては、上述の特許文献１に記載された基板連結機構が用いられる場合と同様である。
【００１５】
さらに、特許文献２に記載された基板連結機構にも、板状部材側コネクタに設けられた孔部が基板側コネクタの外周に嵌合した状態を維持するための手段が備えられていないので、板状部材側コネクタが取り付けられた配線板状部材が基板側コネクタが取り付けられた主配線基板に対面近接重ね合わせ連結によって電気的に接続された状態を安定に維持することが困難とされるという不都合があることについても、上述の特許文献１に記載された基板連結機構が用いられる場合と同様である。
【００１６】
斯かる点に鑑み、本願の特許請求の範囲に記載された発明は、フレキシブル印刷配線基板等の配線板状部材に設けられた配線端子部を主配線基板に設けられた配線端子部に接続された状態とすべく、配線板状部材を対面近接重ね合わせ連結によって主配線基板に電気的に連結するための基板連結機構を成すものであって、主配線基板と配線板状部材とを含んだ全体の構成の薄型化を図ることができ、かつ、配線板状部材の主配線基板に対する対面近接重ね合わせ連結を、良好な作業性をもって確実に行うことができるとともに、配線板状部材の主配線基板に対する対面近接重ね合わせ連結が確実に行われたことを容易に確認することができ、しかも、配線板状部材が主配線基板に対面近接重ね合わせ連結によって電気的に接続された状態が安定に維持されるようにすることも可能とされた配線端子接続装置を提供する。
【課題を解決するための手段】
【００１７】
本願の特許請求の範囲における請求項１から請求項５までのいずれかに記載された発明（以下、本発明という。）に係る配線端子接続装置は、第１の絶縁ハウジングと第１の絶縁ハウジングを主配線基板に固定する固定金属部材と各々が主配線基板に設けられた第１の配線端子部に接続される基板接続部を有して第１の絶縁ハウジングに配された複数の第１のコンタクトとを備えた基板側コネクタと、配線板状部材に配されて基板側コネクタに係合する係合部が設けられた第２の絶縁ハウジングと各々が配線板状部材に設けられた第２の配線端子部に接続される端子接続部を有して第２の絶縁ハウジングに配された複数の第２のコンタクトとを備えた板状部材側コネクタと、を含んで構成される。そして、固定金属部材が、第１の絶縁ハウジングにその外側から係合していて、板状部材側コネクタを係止するための弾性を具えた係止部が外部に向かって突出するものとして形成されており、複数の第１のコンタクトの夫々が第１の絶縁ハウジングの外周面部からその外部に突出する接触係合部を有しており、第２の絶縁ハウジングが配線板状部材における透孔形成部が形成する透孔を貫通する状態をもって当該透孔形成部に取り付けられ、配線板状部材における第２の配線端子部が透孔形成部が形成する透孔の周囲に配されていて、第２のコンタクトにおける端子接続部が第２の絶縁ハウジングの外周面部からその外部に突出して第２の配線端子部に接触接続され、第２の絶縁ハウジングに設けられた係合部が第１の絶縁ハウジングの外周に嵌合する嵌合孔を形成していて、複数の第２のコンタクトの夫々が、嵌合孔を形成する係合部の内壁面部に配された接触接続部を有しており、第２の絶縁ハウジングにおける嵌合孔が第１の絶縁ハウジングの外周に嵌合したとき、第２のコンタクトが有する接触接続部が第１のコンタクトが有する接触係合部に接触接続されて、配線板状部材に設けられた第２の配線端子部が第２のコンタクト及び第１のコンタクトを通じて主配線基板に設けられた第１の配線端子部に接続されるとともに、固定金属部材に形成された係止部が、第１のハウジングにおける嵌合孔内に配される部分から突出して、第２の絶縁ハウジングにおける係合部の一部に設けられた係合受部に係合し、板状部材側コネクタを係止することを特徴とするものとされる。
【００１９】
上述のような本発明に係る配線端子接続装置にあっては、基板側コネクタにおける第１の絶縁ハウジングが固定された主配線基板に、例えば、フレキシブル印刷配線基板とされる配線板状部材が、それにおける透孔形成部が形成する透孔を貫通する状態をもって透孔形成部に取り付けられた板状部材側コネクタにおける第２の絶縁ハウジングを伴って、対面近接せしめられ、第２の絶縁ハウジングの係合部が形成する嵌合孔が、第１の絶縁ハウジングの外周に嵌合せしめられる。このとき、第１の絶縁ハウジングは、第２の絶縁ハウジングの係合部が形成する嵌合孔と配線板状部材における透孔形成部が形成する透孔との両者を貫通するものとされる。そして、基板側コネクタにおける、夫々が主配線基板に設けられた第１の配線端子部に接続される基板接続部と第１の絶縁ハウジングの外周面部から外部に突出する接触係合部とを有した複数の第１のコンタクトの各々の接触係合部に、板状部材側コネクタにおける、夫々が、第２の絶縁ハウジングの外周面部からその外部に突出して、配線板状部材における透孔形成部が形成する透孔の周囲に配された第２の配線端子部に接触接続される端子接続部と第２の絶縁ハウジングにおける嵌合孔を形成する係合部の内壁面部に配された接触接続部とを有した複数の第２のコンタクトの各々の接触接続部が、接触接続される。それにより、基板側コネクタにおける複数の第１のコンタクトと板状部材側コネクタにおける複数の第２のコンタクトとが相互接続されて、主配線基板に設けられた複数の第１の配線端子部に、配線板状部材に設けられた複数の第２の配線端子部が、板状部材側コネクタ及び基板側コネクタを介して、夫々接続されることになり、配線板状部材は、それに設けられた複数の第２の配線端子部を主配線基板に設けられた複数の第１の配線端子部に夫々接続された状態とすべく、対面近接重ね合わせ連結によって主配線基板に電気的に連結されたものとされる。
【００２０】
配線板状部材が主配線基板に対面近接せしめられて、配線板状部材に配された板状部材側コネクタが備える第２の絶縁ハウジングに設けられた係合部が形成する嵌合孔が、主配線基板上に固定された基板側コネクタが備える第１の絶縁ハウジングの外周に嵌合せしめられる際には、配線板状部材における透孔形成部が形成する透孔と板状部材側コネクタが備える第２の絶縁ハウジング設けられた係合部が形成する嵌合孔との両者を通じて、主配線基板上に固定された基板側コネクタが備える第１の絶縁ハウジングを、容易かつ明瞭に目視により観察することが可能とされる。即ち、板状部材側コネクタにおける第２の絶縁ハウジングに設けられた係合部が形成する嵌合孔と主配線基板上に固定された基板側コネクタが備える第１の絶縁ハウジングとの両者を直接的に目視により観察しつつ、板状部材側コネクタにおける嵌合孔を基板側コネクタにおける第１の絶縁ハウジングの外周に嵌合させることができることになる。
【００２１】
また、本発明に係る配線端子接続装置にあっては、板状部材側コネクタにおける第２の絶縁ハウジングに設けられた係合部が形成する嵌合孔が主配線基板上に固定された基板側コネクタが備える第１の絶縁ハウジングの外周に嵌合せしめられたときには、基板側コネクタに備えられた固定金属部材に形成された係止部が、第１の絶縁ハウジングの外周に嵌合した第２の絶縁ハウジングに設けられた係合部が形成する嵌合孔内から突出し、第２の絶縁ハウジングにおける嵌合孔を形成する係合部の一部における係合受部に係合して板状部材側コネクタを係止する。
【発明の効果】
【００２２】
本発明に係る配線端子接続装置にあっては、主配線基板に設けられた第１の配線端子部にフレキシブル印刷配線基板等の配線板状部材に設けられた第２の配線端子部を接続するための、配線板状部材が主配線基板に対面近接重ね合わせ連結によって電気的に接続された状態が、主配線基板上に固定された基板側コネクタが備える第１の絶縁ハウジングの外周に、配線板状部材に配された板状部材側コネクタが備える第２の絶縁ハウジングに設けられた係合部が形成する嵌合孔が嵌合せしめられることによりとられるので、基板側コネクタにおける第１の絶縁ハウジングが固定される主配線基板と板状部材側コネクタにおける第２の絶縁ハウジングが配される配線板状部材とを含んだ全体の構成の薄型化を図ることができることになる。
【００２３】
また、本発明に係る配線端子接続装置によれば、主配線基板に設けられた第１の配線端子部にフレキシブル印刷配線基板等の配線板状部材に設けられた第２の配線端子部が接続された状態とすべく、配線板状部材を主配線基板に対面近接させて、主配線基板上に固定された基板側コネクタが備える第１の絶縁ハウジングの外周に、配線板状部材に配された板状部材側コネクタが備える第２の絶縁ハウジングに設けられた係合部が形成する嵌合孔を嵌合させるにあたり、配線板状部材における透孔形成部が形成する透孔と板状部材側コネクタが備える第２の絶縁ハウジング設けられた係合部が形成する嵌合孔との両者を通じて、主配線基板上に固定された基板側コネクタが備える第１の絶縁ハウジングを、容易かつ明瞭に目視により観察することが可能とされるので、板状部材側コネクタにおける第２の絶縁ハウジングに設けられた係合部が形成する嵌合孔と主配線基板上に固定された基板側コネクタが備える第１の絶縁ハウジングとの両者を直接的に目視により観察しつつ、板状部材側コネクタにおける嵌合孔を基板側コネクタにおける第１の絶縁ハウジングの外周に嵌合させることができる。その結果、配線板状部材の主配線基板に対する対面近接重ね合わせ連結を、良好な作業性をもって確実に行うことができるとともに、配線板状部材の主配線基板に対する対面近接重ね合わせ連結が確実に行われたことを容易に確認することができることになる。
【００２４】
さらに、本発明に係る配線端子接続装置によれば、板状部材側コネクタにおける第２の絶縁ハウジングに設けられた係合部が形成する嵌合孔が主配線基板上に固定された基板側コネクタが備える第１の絶縁ハウジングの外周に嵌合せしめられると、基板側コネクタに備えられた固定金属部材に形成された係止部が、第１の絶縁ハウジングの外周に嵌合した第２の絶縁ハウジングに設けられた係合部が形成する嵌合孔内から突出し、第２の絶縁ハウジングにおける嵌合孔を形成する係合部の一部における係合受部に係合して板状部材側コネクタを係止するので、配線板状部材が主配線基板に対面近接重ね合わせ連結によって電気的に接続された状態が、堅固かつ安定に維持されることになる。その際、基板側コネクタに備えられた固定金属部材に形成された係止部が、板状部材側コネクタの第２の絶縁ハウジングにおける係合部の一部に設けられた係合受部に係合することにより、板状部材側コネクタへの補強金具等の部材の取付けが不要とされる。その結果、部品点数の増加をまねかない比較的簡単な構成をもって、主配線基板と配線板状部材とを含んだ全体の構成の薄型化を図ることができるもとで、第２の絶縁ハウジングにおける嵌合孔が第１の絶縁ハウジングの外周に嵌合した状態を確実かつ堅固に維持することができることになる。
【図面の簡単な説明】
【００２５】
【図１】本発明に係る配線端子接続装置の第１の例を構成する主配線基板に固定された絶縁ハウジングを備える基板側コネクタと、配線板状部材に配された絶縁ハウジングを備える板状部材側コネクタと、を示す斜視図である。
【図２】図１に示される配線板状部材と板状部材側コネクタとを示す斜視図である。
【図３】図２に示される板状部材側コネクタにおける部分であって配線板状部材の透孔形成部に係合する段部を示す斜視図である。
【図４】図１に示される基板側コネクタと板状部材側コネクタとについての、基板側コネクタに対して板状部材側コネクタが嵌合接続される直前の状態を示す断面図である。
【図５】図１に示される基板側コネクタと板状部材側コネクタとについての、基板側コネクタに対して板状部材側コネクタが嵌合接続される直前の状態を部分的に示す部分断面図である。
【図６】図１に示される基板側コネクタと板状部材側コネクタとについての、基板側コネクタに対して板状部材側コネクタが嵌合接続された状態を示す斜視図である。
【図７】図１に示される基板側コネクタと板状部材側コネクタとについての、基板側コネクタに対して板状部材側コネクタが嵌合接続された状態を示す断面図である。
【図８】図１に示される基板側コネクタと板状部材側コネクタとについての、基板側コネクタに対して板状部材側コネクタが嵌合接続された状態を部分的に示す部分断面図である。
【図９】図１に示される配線板状部材と図１に示される基板側コネクタとともに本発明に係る配線端子接続装置の第２の例を構成する板状部材側コネクタとを示す斜視図である。
【図１０】図１に示される配線板状部材における複数の配線端子部が設けられた面を示す斜視図である。
【図１１】図９に示される板状部材側コネクタにおける、図１に示される基板側コネクタの絶縁ハウジングが固定される主配線基板に対面する部分を示す斜視図である。
【図１２】図１に示される基板側コネクタと図９に示される板状部材側コネクタとについての、基板側コネクタに対して板状部材側コネクタが嵌合接続された状態を示す断面図である。
【発明を実施するための形態】
【００２６】
本発明を実施するための形態は、以下に述べられる本発明についての実施例をもって説明される。
【実施例１】
【００２７】
図１は、本発明に係る配線端子接続装置の第１の例を構成する主要構成要素である、主配線基板に配された基板側コネクタと配線板状部材を伴った板状部材側コネクタとを示す。
【００２８】
図１において、本発明に係る配線端子接続装置の第１の例を成す配線端子接続装置１０は、主配線基板１１に配された基板側コネクタ１２と、基板側コネクタ１２に係合連結される、例えば、フレキシブル印刷配線基板とされる配線板状部材１３を伴った板状部材側コネクタ１４とを含んで構成される。基板側コネクタ１２は、主配線基板１１に固定される絶縁ハウジング１５と絶縁ハウジング１５に配された複数のコンタクト１６とを備えている。また、板状部材側コネクタ１４は、配線板状部材１３に配される絶縁ハウジング１７と絶縁ハウジング１７に配された複数のコンタクト１８とを備えていて、配線板状部材１３に組み付けられる。
【００２９】
図２に示されるように、配線板状部材１３は、全体として平板状枠状体を成すものとされており、枠状体の内周縁部にあたる環状部分が、透孔１９を形成する透孔形成部１３ａとされている。そして、配線板状部材１３が有する一対の相互平行面である面１３ｂ及び面１３ｃのうちの面１３ｂにおける透孔形成部１３ａが形成する透孔１９の周囲に、複数の配線端子部２０が配列配置されて設けられている。図示は省略されているが、配線板状部材１３の面１３ｂもしくは面１３ｃあるいはそれらの両者には、種々の電子回路部品及びそれらを連結する配線が設けられている。
【００３０】
また、板状部材側コネクタ１４の絶縁ハウジング１７には、主配線基板１１に固定される絶縁ハウジング１５を有した基板側コネクタ１２に係合する環状の係合部２１が設けられており、係合部２１は、基板側コネクタ１２の絶縁ハウジング１５の外周に嵌合する嵌合孔２２を形成している。それにより、絶縁ハウジング１７も、全体として枠状体を成すものとされており、このような嵌合孔２２を形成する環状の係合部２１が設けられた枠状体を成す絶縁ハウジング１７にあっては、環状の係合部２１の外側が係合部２１を包囲する環状の外縁部２３とされている。
【００３１】
説明の便宜上、以下においては、板状部材側コネクタ１４について、図２における上方側を板状部材側コネクタ１４の上方側といい、図２における下方側を板状部材側コネクタ１４の下方側という。
【００３２】
図３には、板状部材側コネクタ１４の下方側が示されている。この図３に示されるように、板状部材側コネクタ１４の下方側においては、絶縁ハウジング１７における嵌合孔２２を形成する環状の係合部２１を包囲する外縁部２３が、係合部２１に対する環状の段部を形成している。そして、板状部材側コネクタ１４が配線板状部材１３に組み付けられるにあたっては、絶縁ハウジング１７における外縁部２３が形成する環状の段部が、配線板状部材１３における透孔形成部１３ａに係合せしめられ、絶縁ハウジング１７における嵌合孔２２を形成する係合部２１が、配線板状部材１３における透孔形成部１３ａが形成する透孔１９内に配されるとともに、絶縁ハウジング１７における外縁部２３が、配線板状部材１３の面１３ｂにおける透孔１９の周囲部分に対面する。それにより、絶縁ハウジング１７が、嵌合孔２２を形成する係合部２１を配線板状部材１３における透孔形成部１３ａが形成する透孔１９内に配することによって、その透孔１９を貫通する状態をもって透孔形成部１３ａに取り付けられることになる。
【００３３】
図２及び図３に示されるように、板状部材側コネクタ１４の絶縁ハウジング１７には、補強金属部材が１７ａが、絶縁ハウジング１７の外表面を部分的に覆うようにして、インサート成形により配されている。そして、絶縁ハウジング１７が成す枠状体における嵌合孔２２を挟んで対向して互いに平行に伸びる一対の長辺部１７ｂ及び１７ｃの夫々に、その長手方向に沿って複数のコンタクト１８が配列配置されて設けられている。複数のコンタクト１８の夫々は、嵌合孔２２の周囲に配されている接触接続部２５と、絶縁ハウジング１７の外周面部からその外部に突出する端子接続部２６とを有している。複数のコンタクト１８の端子接続部２６は、図１に示されるように、板状部材側コネクタ１４が配線板状部材１３に組み付けられたときには、配線板状部材１３の面１３ｂにおける透孔１９の周囲に配された複数の配線端子部２０に夫々接触接続される。
【００３４】
図１に示される基板側コネクタ１２の絶縁ハウジング１５は、矩形透孔２７を形成する枠状体を成すものとされていて、その枠状体における矩形透孔２７を挟んで対向して互いに平行に伸びる一対の長辺部１５ａ及び１５ｂの夫々に、その長手方向に沿って複数のコンタクト１６が配列配置されて設けられている。複数のコンタクト１６の夫々は、絶縁ハウジング１５が形成する矩形透孔２７内において、主配線基板１１に設けられた配線端子部（図示が省略されている。）に接続される基板接続部２８と、絶縁ハウジング１５の外面部１５ｃからその外部に突出する接触係合部２９とを有している。
【００３５】
また、基板側コネクタ１２は、絶縁ハウジング１５を主配線基板１１に固定する一対の固定金属部材３０Ａ及び３０Ｂを備えている。固定金属部材３０Ａは、絶縁ハウジング１５が成す枠状体における矩形透孔２７を挟んで対向して互いに平行に伸びる一対の短辺部１５ｄ及び１５ｅのうちの短辺部１５ｄにその外側から係合して絶縁ハウジング１５を保持しており、固定金属部材３０Ｂは、絶縁ハウジング１５が成す矩形枠状体における一対の短辺部１５ｄ及び１５ｅのうちの短辺部１５ｅにその外側から係合して絶縁ハウジング１５を保持している。そして、固定金属部材３０Ａは、基板連結部３１Ａが主配線基板１１における半田付部（図示が省略されている。）に半田付けされて、主配線基板１１に取り付けられる。同様に、固定金属部材３０Ｂは、基板連結部３１Ｂが主配線基板１１における半田付部（図示が省略されている。）に半田付けされて、主配線基板１１に取り付けられる。
【００３６】
固定金属部材３０Ａは、例えば、弾性を有した金属板材に打抜き屈曲加工が施されて形成され、絶縁ハウジング１５における短辺部１５ｄの外方に配される弾性折返部３２Ａが設けられており、弾性折返部３２Ａには、板状部材側コネクタ１４を係止するための一対の係止部３３Ａが、外部に向かって突出するものとして形成されている。同様に、固定金属部材３０Ｂも、例えば、弾性を有した金属板材に打抜き屈曲加工が施されて形成され、絶縁ハウジング１５における短辺部１５ｅの外方に配される弾性折返部３２Ｂが設けられており、弾性折返部３２Ｂには、板状部材側コネクタ１４を係止するための一対の係止部３３Ｂが、外部に向かって突出するものとして形成されている。
【００３７】
このようなもとで、配線板状部材１３に組み付けられた板状部材側コネクタ１４が、主配線基板１１に取り付けられた基板側コネクタ１２に係合連結される際には、先ず、図４に示されるように、配線板状部材１３を伴った板状部材側コネクタ１４が、絶縁ハウジング１７における嵌合孔２２を形成する係合部２１に、主配線基板１１に固定された基板側コネクタ１２の絶縁ハウジング１５に対応する位置をとらせる状態をもって、主配線基板１１に対して対向配置される。その際、配線板状部材１３における複数の配線端子部２０が配された面１３ｂとは反対側の面１３ｃが、主配線基板１１に対面するものとされる。
【００３８】
このとき、図５に示されるように、板状部材側コネクタ１４の絶縁ハウジング１７に配された補強金属部材１７ａに設けられ、絶縁ハウジング１７における嵌合孔２２を形成する係合部２１の一部に配された係合受部３５Ｂが、基板側コネクタ１２の絶縁ハウジング１５における短辺部１５ｅの外方に配される弾性折返部３２Ｂに設けられた係止部３３Ｂに対応する位置をとるものとされる。同様に、板状部材側コネクタ１４の絶縁ハウジング１７に配された補強金属部材１７ａに設けられ、絶縁ハウジング１７における嵌合孔２２を形成する係合部２１の一部に配された係合受部３５Ａが、基板側コネクタ１２の絶縁ハウジング１５における短辺部１５ｄの外方に配される弾性折返部３２Ａに設けられた係止部３３Ａに対応する位置をとるものとされる。
【００３９】
その後、複数の配線端子部２０が配された面１３ｂとは反対側の面１３ｃを主配線基板１１に対面させた配線板状部材１３が、主配線基板１１に対して対面近接せしめられて、配線板状部材１３に組み付けられた板状部材側コネクタ１４の絶縁ハウジング１７における係合部２１が形成する嵌合孔２２が、主配線基板１１に固定された基板側コネクタ１２の絶縁ハウジング１５の外周に嵌合するものとされる。それにより、図６に示されるような、配線板状部材１３が対面近接重ね合わせ連結によって主配線基板１１に電気的に連結された状態が得られる。
【００４０】
図６に示されるように配線板状部材１３が対面近接重ね合わせ連結によって主配線基板１１に電気的に連結されたもとにあっては、図７に示されるように、板状部材側コネクタ１４の絶縁ハウジング１７が基板側コネクタ１２の絶縁ハウジング１５における張出部１５ｆに当接して、板状部材側コネクタ１４の全体が張出部１５ｆによって支持され、配線板状部材１３の面１３ｃが主配線基板１１に対面する状態が維持される。そして、板状部材側コネクタ１４の絶縁ハウジング１７に配された複数のコンタクト１８の夫々が有する接触接続部２５、即ち、板状部材側コネクタ１４の絶縁ハウジング１７における係合部２１が形成する嵌合孔２２の周囲に配された接触接続部２５が、基板側コネクタ１２の絶縁ハウジング１５に配された複数のコンタクト１６の各々が有する接触係合部２９、即ち、基板側コネクタ１２の絶縁ハウジング１５の外面部１５ｃからその外部に突出する接触係合部２９に接触接続される。それにより、複数のコンタクト１８の夫々の端子接続部２６が接続された配線板状部材１３に設けられた配線端子部２０が、コンタクト１８及びコンタクト１６を介して、複数のコンタクト１６の夫々が接続された主配線基板１１に設けられた配線端子部に接続される。
【００４１】
また、このとき、図８に示されるように、基板側コネクタ１２の絶縁ハウジング１５における短辺部１５ｅの外方に配される弾性折返部３２Ｂに設けられた係止部３３Ｂが、板状部材側コネクタ１４の絶縁ハウジング１７における係合部２１が形成する嵌合孔２２内に配される弾性折返部３２Ｂからその外部へと突出して、板状部材側コネクタ１４の絶縁ハウジング１７に配された補強金属部材１７ａに設けられた係合受部３５Ｂに係合し、それにより板状部材側コネクタ１４を係止する。同様に、基板側コネクタ１２の絶縁ハウジング１５における短辺部１５ｄの外方に配される弾性折返部３２Ａに設けられた係止部３３Ａが、板状部材側コネクタ１４の絶縁ハウジング１７における係合部２１が形成する嵌合孔２２内に配される弾性折返部３２Ａからその外部へと突出して、板状部材側コネクタ１４の絶縁ハウジング１７に配された補強金属部材１７ａに設けられた係合受部３５Ａに係合し、それにより板状部材側コネクタ１４を係止する。このようにして、主配線基板１１に対面近接重ね合わせ連結によって電気的に連結された配線板状部材１３に取り付けられた板状部材側コネクタ１４が、基板側コネクタ１２に設けられた係止部３３Ａ及び３３Ｂによって係止されることにより、配線板状部材１３の対面近接重ね合わせ連結によって主配線基板１１に電気的に連結された状態が安定に維持される。
【００４２】
上述のような主配線基板１１に取り付けられた基板側コネクタ１２と板状部材側コネクタ１４とを含んで構成される配線端子接続装置１０が用いられるもとにあっては、例えば、フレキシブル印刷配線基板とされる配線板状部材１３に設けられた配線端子部２０を主配線基板１１に設けられた配線端子部に接続するための、配線板状部材１３が主配線基板１１に対面近接重ね合わせ連結によって電気的に接続された状態が、板状部材側コネクタ１４の絶縁ハウジング１７に設けられた係合部２１が形成する嵌合孔２２が主配線基板１１上に固定された基板側コネクタ１２が備える絶縁ハウジング１５の外周に嵌合せしめられることによりとられるので、基板側コネクタ１２を備えた主配線基板１１と嵌合孔２２を形成する係合部２１が設けられた絶縁ハウジング１７を有する板状部材側コネクタ１４とを含んだ全体の構成の薄型化を図ることができる。
【００４３】
また、配線端子接続装置１０によれば、主配線基板１１に設けられた配線端子部に配線板状部材１３に設けられた配線端子部２０が接続された状態とすべく、配線板状部材１３を主配線基板１１に対面近接させて、主配線基板１１上に固定された基板側コネクタ１２が備える絶縁ハウジング１５の外周に、配線板状部材１３に配された板状部材側コネクタ１４が備える絶縁ハウジング１７に設けられた係合部２１が形成する嵌合孔２２を嵌合させるにあたり、配線板状部材１３における透孔形成部１３ａが形成する透孔１９と板状部材側コネクタ１４が備える絶縁ハウジング１７に設けられた係合部２１が形成する嵌合孔２２との両者を通じて、主配線基板１１上に固定された基板側コネクタ１２が備える絶縁ハウジング１５を、容易かつ明瞭に目視により観察することが可能とされるので、板状部材側コネクタ１４における絶縁ハウジング１７に設けられた係合部２１が形成する嵌合孔２２と主配線基板１１上に固定された基板側コネクタ１２が備える絶縁ハウジング１５との両者を直接的に目視により観察しつつ、板状部材側コネクタ１４における嵌合孔２２を基板側コネクタ１２における絶縁ハウジング１５の外周に嵌合させることができる。その結果、配線板状部材１３の主配線基板１１に対する対面近接重ね合わせ連結を、良好な作業性をもって確実に行うことができるとともに、配線板状部材１３の主配線基板１１に対する対面近接重ね合わせ連結が確実に行われたことを容易に確認することができることになる。
【００４４】
さらに、配線端子接続装置１０によれば、板状部材側コネクタ１４における絶縁ハウジング１７に設けられた係合部２１が形成する嵌合孔２２が主配線基板１１上に固定された基板側コネクタ１２が備える絶縁ハウジング１５の外周に嵌合せしめられると、基板側コネクタ１２に備えられた係止部３３Ａ及び３３Ｂが、絶縁ハウジング１５の外周に嵌合した絶縁ハウジング１７に設けられた係合部２１が形成する嵌合孔２２内から突出し、絶縁ハウジング１７における嵌合孔２２を形成する係合部２１の一部に配された係合受部３５Ａ及び３５Ｂに夫々係合して板状部材側コネクタ１４を係止するので、配線板状部材１３が主配線基板１１に対面近接重ね合わせ連結によって電気的に接続された状態が、堅固かつ安定に維持されることになる。
【実施例２】
【００４５】
図９は、本発明に係る配線端子接続装置の第２の例を前述の図１に示される基板側コネクタ１２と共に構成する配線板状部材を伴った板状部材側コネクタを、板状部材側コネクタを配線板状部材から分離した状態をもって示す。
【００４６】
図９において、本発明に係る配線端子接続装置の第２の例を成す配線端子接続装置５０（図１２に示される）を構成する板状部材側コネクタ４０は、前述の図２に示される配線板状部材１３に取り付けられるものとされる。従って、図９には、前述の図２に示される配線板状部材１３が、その面１３ｃを上方側にして示されている。図９に示される配線板状部材１３における面１３ｃに対向する反対側の面１３ｂには、図１０に示されるように、透孔形成部１３ａが形成する透孔１９の周囲に、複数の配線端子部２０が配列配置されて設けられている。
【００４７】
図９に示される板状部材側コネクタ４０は、配線板状部材１３に取り付けられたもとで、前述の図１に示される基板側コネクタ１２に嵌合連結せしめられるものとされ、それにより、本発明に係る配線端子接続装置の第２の例を成す配線端子接続装置５０を構成する。
【００４８】
図９において、板状部材側コネクタ４０は、配線板状部材１３に配される絶縁ハウジング４１と絶縁ハウジング４１に配された複数のコンタクト４２とを備えていて、配線板状部材１３に組み付けられる。
【００４９】
板状部材側コネクタ４０の絶縁ハウジング４１には、基板側コネクタ１２に係合する環状の係合部４３が設けられており、係合部４３は、基板側コネクタ１２の絶縁ハウジング１５の外周に嵌合する嵌合孔４４を形成している。それにより、絶縁ハウジング４１は、全体として枠状体を成すものとされており、このような嵌合孔４４を形成する環状の係合部４３が設けられた枠状体を成す絶縁ハウジング４１にあっては、環状の係合部４３の外側が係合部４３を包囲する環状の外縁部４５とされている。
【００５０】
説明の便宜上、以下においては、板状部材側コネクタ４０について、図９における上方側を板状部材側コネクタ４０の上方側といい、図９における下方側を板状部材側コネクタ４０の下方側という。
【００５１】
図９に示される板状部材側コネクタ４０の上面側においては、絶縁ハウジング４１における嵌合孔４４を形成する環状の係合部４３を包囲する外縁部４５が、係合部４３に対する環状の段部を形成している。そして、板状部材側コネクタ４０が配線板状部材１３に組み付けられるにあたっては、絶縁ハウジング４１における外縁部４５が形成する環状の段部が、配線板状部材１３における透孔形成部１３ａに係合せしめられ、絶縁ハウジング４１における嵌合孔４４を形成する係合部４３が、配線板状部材１３における透孔形成部１３ａが形成する透孔１９内に配されるとともに、絶縁ハウジング４１における外縁部４５が、配線板状部材１３の面１３ｂにおける透孔１９の周囲部分に対面する。それにより、絶縁ハウジング４１が、嵌合孔４４を形成する係合部４３を配線板状部材１３における透孔形成部１３ａが形成する透孔１９内に配することによって、その透孔１９を貫通する状態をもって透孔形成部１３ａに取り付けられることになる。
【００５２】
図１１は、板状部材側コネクタ４０の下面側を示す。板状部材側コネクタ４０の下面側においては、絶縁ハウジング４１における嵌合孔４４を形成する環状の係合部４３とそれを包囲する外縁部４５とは、それらの間に段差が設けられることなく、各々の外面が実質的に同一平面内に配されている。
【００５３】
図９及び図１１に示されるように、板状部材側コネクタ４０の絶縁ハウジング４１には、補強金属部材が４１ａが、絶縁ハウジング４１の外表面を部分的に覆うようにして、インサート成形により配されている。そして、絶縁ハウジング４１が成す枠状体における嵌合孔４４を挟んで対向して互いに平行に伸びる一対の長辺部４１ｂ及び４１ｃの夫々に、その長手方向に沿って複数のコンタクト４２が配列配置されて設けられている。複数のコンタクト４２の夫々は、嵌合孔４４の周囲に配されている接触接続部４６と、絶縁ハウジング４１の外周面部からその外部に突出する端子接続部４７とを有している。複数のコンタクト４２の端子接続部４７は、板状部材側コネクタ４０が配線板状部材１３に組み付けられたときには、配線板状部材１３の面１３ｂにおける透孔１９の周囲に配された複数の配線端子部２０に夫々接触接続される。
【００５４】
このようなもとで、配線板状部材１３に組み付けられた板状部材側コネクタ４０が、主配線基板１１に取り付けられた基板側コネクタ１２に係合連結されて、図１２に示される本発明に係る配線端子接続装置の第２の例を成す配線端子接続装置５０が構成される際には、図１２に示されるように、複数の接触配線端子部２０が配された面１３ｂを主配線基板１１に対面させた配線板状部材１３が、主配線基板１１に対して対面近接せしめられて、配線板状部材１３に組み付けられた板状部材側コネクタ４０の絶縁ハウジング４１における係合部４３が形成する嵌合孔４４が、主配線基板１１に固定された基板側コネクタ１２の絶縁ハウジング１５の外周に嵌合するものとされる。それにより、配線板状部材１３が対面近接重ね合わせ連結によって主配線基板１１に電気的に連結された状態が得られる。
【００５５】
図１２に示されるように配線板状部材１３が対面近接重ね合わせ連結によって主配線基板１１に電気的に連結されたもとにあっては、板状部材側コネクタ４０の絶縁ハウジング４１が基板側コネクタ１２の絶縁ハウジング１５における張出部１５ｆに当接して、板状部材側コネクタ４０の全体が張出部１５ｆによって支持され、配線板状部材１３の面１３ｂが主配線基板１１に対面する状態が維持される。板状部材側コネクタ４０の絶縁ハウジング４１に配された複数のコンタクト４２の夫々が有する接触接続部４６、即ち、板状部材側コネクタ４０の絶縁ハウジング４１における係合部４３が形成する嵌合孔４４の周囲に配された接触接続部４６が、基板側コネクタ１２の絶縁ハウジング１５に配された複数のコンタクト１６の各々が有する接触係合部２９、即ち、基板側コネクタ１２の絶縁ハウジング１５の外面部１５ｃからその外部に突出する接触係合部２９に接触接続される。それにより、複数のコンタクト４２の夫々の端子接続部４７が接続された配線板状部材１３に設けられた配線端子部２０が、コンタクト４２及びコンタクト１６を介して、複数のコンタクト１６の夫々が接続された主配線基板１１に設けられた配線端子部に接続される。
【００５６】
また、このとき、図示が省略されているが、基板側コネクタ１２の絶縁ハウジング１５における短辺部１５ｅの外方に配される弾性折返部３２Ｂに設けられた係止部３３Ｂが、板状部材側コネクタ４０の絶縁ハウジング４１における係合部４３が形成する嵌合孔４４内に配される弾性折返部３２Ｂからその外部へと突出して、板状部材側コネクタ４０の絶縁ハウジング４１に配された補強金属部材４１ａに設けられ、絶縁ハウジング４１における係合部４３の一部に配された係合受部４８Ｂに係合し、それにより板状部材側コネクタ４０を係止する。同様に、基板側コネクタ１２の絶縁ハウジング１５における短辺部１５ｄの外方に配される弾性折返部３２Ａに設けられた係止部３３Ａが、板状部材側コネクタ４０の絶縁ハウジング４１における係合部４３が形成する嵌合孔４４内に配される弾性折返部３２Ａからその外部へと突出して、板状部材側コネクタ４０の絶縁ハウジング４１に配された補強金属部材４１ａに設けられ、絶縁ハウジング４１における係合部４３の一部に配された係合受部４８Ａに係合し、それにより板状部材側コネクタ４０を係止する。このようにして、主配線基板１１に対面近接重ね合わせ連結によって電気的に連結された配線板状部材１３に取り付けられた板状部材側コネクタ４０が、基板側コネクタ１２に設けられた係止部３３Ａ及び３３Ｂによって係止されることにより、配線板状部材１３の対面近接重ね合わせ連結によって主配線基板１１に電気的に連結された状態が安定に維持される。
【００５７】
上述のような主配線基板１１に取り付けられた基板側コネクタ１２と板状部材側コネクタ４０とを含んで構成される配線端子接続装置５０が用いられるもとにあっても、前述の配線端子接続装置１０が用いられる場合に得られる作用効果と同様な作用効果が得られることになる。
【産業上の利用可能性】
【００５８】
以上のような本発明に係る配線端子接続装置は、フレキシブル印刷配線基板等の配線板状部材に設けられた配線端子部を主配線基板に設けられた配線端子部に接続された状態とすべく、配線板状部材を対面近接重ね合わせ連結によって主配線基板に電気的に連結するための基板連結機構を成すものであって、主配線基板と配線板状部材とを含んだ全体の構成の薄型化を図ることができ、かつ、配線板状部材の主配線基板に対する対面近接重ね合わせ連結を、良好な作業性をもって確実に行うことができるとともに、配線板状部材の主配線基板に対する対面近接重ね合わせ連結が確実に行われたことを容易に確認することができ、しかも、配線板状部材が主配線基板に対面近接重ね合わせ連結によって電気的に接続された状態が安定に維持されるようにすることも可能なものとして、様々な電子機器等に広く適用され得るものである。
【符号の説明】
【００５９】
１０，５０・・・配線端子接続装置，  １１・・・主配線基板，  １２・・・基板側コネクタ，  １３・・・配線板状部材，  １３ａ・・・透孔形成部，  １４，４０・・・板状部材側コネクタ，  １５，１７，４１・・・絶縁ハウジング，  １５ａ，１５ｂ・・・（絶縁ハウジング１５の）長辺部，  １５ｃ・・・（絶縁ハウジング１５の）外面部，  １５ｄ，１５ｅ・・・（絶縁ハウジング１５の）短辺部，  １５ｆ・・・（絶縁ハウジング１５の）張出部，  １６，１８，４２・・・コンタクト，  １７ａ，４１ａ・・・補強金属部材，  １７ｂ，１７ｃ，４１ｂ，４１ｃ・・・（絶縁ハウジング１７，４１の）長辺部，  １９・・・透孔，  ２０・・・配線端子部，  ２１，４３・・・係合部，  ２２，４４・・・嵌合孔，  ２３，４５・・・外縁部，  ２５，４６・・・接触接続部，  ２６，４７・・・端子接続部，  ２７・・・矩形透孔，  ２８・・・基板接続部，  ２９・・・接触係合部，  ３０Ａ，３０Ｂ・・・固定金属部材，  ３１Ａ，３１Ｂ・・・基板連結部，  ３２Ａ，３２Ｂ・・・弾性折返部，  ３３Ａ，３３Ｂ・・・係止部，  ３５Ａ，３５Ｂ，４８Ａ，４８Ｂ・・・係合受部
【図１】
0005614549.tif 000002
【図２】
0005614549.tif 000003
【図３】
0005614549.tif 000004
【図４】
0005614549.tif 000005
【図５】
0005614549.tif 000006
【図６】
0005614549.tif 000007
【図７】
0005614549.tif 000008
【図８】
0005614549.tif 000009
【図９】
0005614549.tif 000010
【図１０】
0005614549.tif 000011
【図１１】
0005614549.tif 000012
【図１２】
0005614549.tif 000013